(57)【要約】  本発明は、周辺に位置する化粧品を認識し、認識された化粧品を利用したメイクアップ方法を推奨可能な移動端末機及び化粧品自動認識システムに関するものであって、化粧品情報が保存されたＲＦＩＤタグを付着している化粧品及び化粧品に付着されたＲＦＩＤタグを介して化粧品を認識し、認識されたＲＦＩＤタグから化粧品情報を受信するＲＦＩＤリーダー部、ＲＦＩＤリーダー部を介して認識された少なくとも一つの化粧品で構成される化粧品リストを生成する制御部、及び化粧品リストを表示するディスプレイ部を有する移動端末機を備えることができる。
2021519992.tif 000002
【特許請求の範囲】
【請求項１】
ユーザー入力を受信する入力部；
化粧品に付着されたＲＦＩＤタグを介して前記化粧品を認識し、認識されたＲＦＩＤタグから化粧品情報を受信するＲＦＩＤリーダー部；
前記ＲＦＩＤリーダー部を介して認識された少なくとも一つの化粧品で構成される化粧品リストを生成する制御部；及び
前記化粧品リストを表示するディスプレイ部を含む移動端末機。
【請求項２】
前記化粧品リストは、
前記ＲＦＩＤリーダー部を介して認識された少なくとも一つの化粧品が化粧品カテゴリーに従って区分されて表示されるリストである、請求項１に記載の移動端末機。
【請求項３】
前記制御部は、
前記化粧品リストに表示された化粧品のうち少なくとも一つを保有化粧品として選択する選択命令を受信し、
前記選択命令に従って選択された化粧品を選択されていない化粧品と区分して表示する、請求項１に記載の移動端末機。
【請求項４】
前記制御部は、
前記選択されていない化粧品と関連した販売情報をさらに表示する、請求項３に記載の移動端末機。
【請求項５】
前記制御部は、
前記化粧品リストを表示する場合、前記化粧品それぞれの残余使用期間を表示する、請求項１に記載の移動端末機。
【請求項６】
前記制御部は、
前記ＲＦＩＤタグから受信した化粧品情報に含まれた化粧品の生産日付情報及び前記ＲＦＩＤタグを介して、前記化粧品を認識した認識日付情報のうち少なくとも一つに基づいて化粧品の残余使用期間を算出する、請求項５に記載の移動端末機。
【請求項７】
前記制御部は、
前記化粧品リストに含まれた化粧品を利用したメイクアップ方法を推奨し、推奨されたメイクアップ方法を表示する、請求項１に記載の移動端末機。
【請求項８】
前記制御部は、
前記推奨されたメイクアップ方法によるメイクアップ結果シミュレーションをさらに表示する、請求項７に記載の移動端末機。
【請求項９】
前記制御部は、
ユーザーの日程情報及び気象情報のうち少なくとも一つを受信し、前記ユーザの日程情報及び気象情報のうち少なくとも一つに基づく背景画像と前記メイクアップ方法によるメイクアップ顔画像を合成して、前記メイクアップ結果のシミュレーションを生成する、請求項８に記載の移動端末機。
【請求項１０】
前記制御部は、
前記入力部を介して化粧品認識命令を受信すると、前記化粧品を認識する、請求項１に記載の移動端末機。
【請求項１１】
現在位置を検出する位置検出部をさらに含み、
前記制御部は、
前記位置検出部を介して検出した現在位置が既に設定された位置の場合、前記化粧品を認識する、請求項１に記載の移動端末機。
【請求項１２】
前記制御部は、
前記現在位置が第１位置の場合、化粧品の認識範囲を第１範囲として設定し、前記現在位置が第２位置の場合、化粧品の認識範囲を第２範囲として設定する、請求項１１に記載の移動端末機。
【請求項１３】
前記制御部は、
第１位置で化粧品を認識して第１化粧品リストを生成し、第２位置で化粧品を認識して第２化粧品リストを生成する、請求項１１に記載の移動端末機。
【請求項１４】
前記制御部は、
前記第１位置で化粧品を再認識する場合、第１化粧品リストに含まれた化粧品の一部が認識されないか、または第１化粧品リストに含まれていない化粧品が認識されると、通知を表示し、
前記第２位置で化粧品を再認識する場合、第２化粧品リストに含まれた化粧品の一部が認識されないか、または第２化粧品リストに含まれていない化粧品が認識されると、通知を表示する、請求項１３に記載の移動端末機。
【請求項１５】
前記制御部は、
化粧品の認識範囲を設定し、前記認識範囲内に存在する化粧品を認識する、請求項１に記載の移動端末機。
【請求項１６】
前記制御部は、
化粧品の認識範囲に応じて、前記化粧品を認識するために送信するＲＦ信号の周波数を調節する、請求項１に記載の移動端末機。
【請求項１７】
化粧品情報が保存されたＲＦＩＤタグを付着している化粧品と、
前記化粧品に付着されたＲＦＩＤタグを介して前記化粧品を認識し、認識されたＲＦＩＤタグから化粧品情報を受信するＲＦＩＤリーダー部、前記ＲＦＩＤリーダー部を介して認識された少なくとも一つの化粧品で構成される化粧品リストを生成する制御部、及び前記化粧品リストを表示するディスプレイ部を有する移動端末機とを含む化粧品自動認識システム。
【請求項１８】
前記化粧品リストは、
前記ＲＦＩＤリーダー部を介して認識された少なくとも一つの化粧品が、化粧品カテゴリーに従って区分されて表示されるリストである、請求項１７に記載の化粧品自動認識システム。
【請求項１９】
前記移動端末機は、
前記化粧品リストに含まれた化粧品を利用したメイクアップ方法を推奨し、推奨されたメイクアップ方法を表示する、請求項１７に記載の化粧品自動認識システム。
【請求項２０】
化粧品情報をアップデート及び保存するサーバーをさらに含み、
前記移動端末機は、
前記化粧品リストの生成と関連した情報をサーバーから受信する、請求項１７に記載の化粧品自動認識システム。
【発明の詳細な説明】
【技術分野】
【０００１】
本発明は、移動端末機及び化粧品自動認識システムに関するものであって、より詳細には、化粧品に付着されたＲＦＩＤタグを介して化粧品を認識する移動端末機及びＲＦＩＤタグを付着した化粧品とＲＦＩＤタグを介して化粧品を認識する移動端末機を含む化粧品自動認識システムに関する。
【背景技術】
【０００２】
ビューティー産業（ｂｅａｕｔｙ  ｉｎｄｕｓｔｒｙ）の発展に従って、ユーザーは、化粧品、メイクアップ（ｍａｋｅ−ｕｐ）などのようなビューティー商品、ビューティーサービスなどに関心が増加している傾向である。また、ビューティー産業の発展に伴い、化粧品の種類も増え、化粧品の活用度が高くなった。
【０００３】
このような傾向に合わせて、ユーザーは、多様な 種類の化粧品を購買して使用するようになった。しかし、化粧品の種類が多くなるに従って、ユーザーは、購買した化粧品を管理および活用するのに困難を強いられることがある。例えば、ユーザーは、保有した化粧品を利用した最適のメイクアップ方法を見つけることが困難であり、保有した化粧品それぞれの使用可能期間が異なるので、古い化粧品を使用し続けるなどの問題に直面することがある。
【０００４】
したがって、ユーザーは、ユーザーが保有している化粧品を確認して残余使用期間を教えたり、ユーザーが保有している化粧品を利用した最適のメイクアップ方法を推奨するなどのサービスが必要とすることがある。
【発明の概要】
【発明が解決しようとする課題】
【０００５】
本発明は、周辺に位置する化粧品を自動的に認識する移動端末機及び化粧品自動認識システムを提供しようとするものである。
【０００６】
本発明は、ユーザーが保有している化粧品を認識する移動端末機及び化粧品自動認識システムを提供しようとするものである。
【０００７】
本発明は、ユーザーが保有している化粧品を案内する移動端末機及び化粧品自動認識システムを提供しようとするものである。
【０００８】
本発明は、ユーザーが保有している化粧品を利用したメイクアップ方法を推奨する移動端末機及び化粧品自動認識システムを提供しようとするものである。
【課題を解決するための手段】
【０００９】
本発明の実施形態に係る移動端末機は、ユーザー入力を受信する入力部と、化粧品に付着されたＲＦＩＤタグを介して化粧品を認識し、認識されたＲＦＩＤタグから化粧品情報を受信するＲＦＩＤリーダー部と、ＲＦＩＤリーダー部を介して認識された少なくとも一つの化粧品で構成される化粧品リストを生成する制御部と、化粧品リストを表示するディスプレイ部とを含むことができる。
【００１０】
化粧品リストは、ＲＦＩＤリーダー部を介して認識された少なくとも一つの化粧品が化粧品カテゴリーに従って区分されて表示されるリストであり得る。
【００１１】
制御部は、化粧品リストに表示された化粧品のうち少なくとも一つを保有化粧品として選択する選択命令を受信し、選択命令に従って選択された化粧品を選択されていない化粧品と区分して表示することができる。
【００１２】
制御部は、選択されていない化粧品と関連した販売情報をさらに表示することができる。
【００１３】
制御部は、化粧品リストを表示する場合、化粧品の残余使用期間が短い順に化粧品を表示することができる。
【００１４】
制御部は、ＲＦＩＤタグから受信した化粧品情報に含まれた化粧品の生産日付情報及びＲＦＩＤタグを介して、化粧品を認識した認識日付情報のうち少なくとも一つに基づいて化粧品の残余使用期間を算出することができる。
【００１５】
制御部は、化粧品リストに含まれた化粧品を利用したメイクアップ方法を推奨し、推奨されたメイクアップ方法を表示することができる。
【００１６】
制御部は、推奨されたメイクアップ方法によるメイクアップ結果シミュレーションをさらに含むことができる。
【００１７】
制御部は、入力部を介して化粧品認識命令を受信すると、化粧品を認識することができる。
【００１８】
移動端末機は、現在位置を検出する位置検出部をさらに含み、制御部は、位置検出部を介して検出した現在位置が既に設定された位置の場合、化粧品を認識することができる。
【００１９】
制御部は、現在位置が第１位置の場合、化粧品の認識範囲を第１範囲に設定し、現在位置が第２位置の場合、化粧品の認識範囲を第２範囲に設定することができる。
【００２０】
制御部は、第１位置で化粧品を認識して第１化粧品リストを生成し、第２位置で化粧品を認識して第２化粧品リストを生成することができる。
【００２１】
制御部は、第１位置で化粧品を再認識する場合、第１化粧品リストに含まれた化粧品の一部が認識されないか、または第１化粧品リストに含まれていない化粧品が認識されると、通知を表示し、第２位置で化粧品を再認識する場合、第２化粧品リストに含まれた化粧品の一部が認識されないか、または第２化粧品リストに含まれていない化粧品が認識されると、通知を表示することができる。
【００２２】
制御部は、化粧品の認識範囲を設定し、認識範囲内に存在する化粧品を認識することができる。
【００２３】
制御部は、化粧品の認識範囲に応じて、化粧品を認識するために送信するＲＦ信号の周波数を調節することができる。
【００２４】
制御部は、化粧品の認識範囲が第１範囲に設定された場合、第１周波数を有するＲＦ信号を送信して化粧品を認識し、化粧品の認識範囲が第２範囲に設定された場合、第２周波数を有するＲＦ信号を送信して化粧品を認識することができる。
【００２５】
本発明の実施形態に係る化粧品自動認識システムは、化粧品情報が保存されたＲＦＩＤタグを付着している化粧品及び化粧品に付着されたＲＦＩＤタグを介して化粧品を認識し、認識されたＲＦＩＤタグから化粧品情報を受信するＲＦＩＤリーダー部、ＲＦＩＤリーダー部を介して認識された少なくとも一つの化粧品で構成される化粧品リストを生成する制御部、及び化粧品リストを表示するディスプレイ部を有する移動端末機を含むことができる。
【００２６】
化粧品リストは、ＲＦＩＤリーダー部を介して認識された少なくとも一つの化粧品が、化粧品カテゴリーに従って区分されて表示されるリストであり得る。
【００２７】
移動端末機は、化粧品リストに含まれた化粧品を利用したメイクアップ方法を推奨し、推奨されたメイクアップ方法を表示することができる。
【００２８】
本発明の実施形態に係る化粧品自動認識システムは、化粧品情報をアップデート及び保存するサーバーをさらに含み、移動端末機は、化粧品リストの生成と関連した情報をサーバーから受信することができる。
【発明の効果】
【００２９】
本発明の実施形態によると、移動端末機は、周辺に位置する化粧品を容易に認識してユーザーに案内することによって、ユーザーは失ったり、忘れていた化粧品の存在を確認することができるという利点がある。
【００３０】
本発明の実施形態によると、移動端末機は、周辺に位置する化粧品を認識して、カテゴリーごとに整理してユーザーに案内することによって、ユーザーは、どのような種類の化粧品が多く、どのような種類の化粧品が不足しているかを容易に確認することができるという利点がある。
【００３１】
本発明の実施形態によると、移動端末機は、周辺に存在する化粧品を認識するだけでなく、ユーザーが実際に保有している化粧品が選択されることによって、ユーザーが実際に保有している化粧品のみを管理することができ、実際に保有していない化粧品については関連情報を提供することができるという利点がある。
【００３２】
本発明の実施形態によると、移動端末機は、周辺に存在する化粧品の残余使用期間に基づいて化粧品リストを表示することによって、古い化粧品を使用しないように制限したり、使用可能期間が迫っているので早く使用するようにユーザーに案内することができるという利点がある。
【００３３】
本発明の実施形態によると、移動端末機は、メイクアップ結果シミュレーションを表示することによって、ユーザーが保有している化粧品を利用して導出可能なメイクアップ結果をユーザーに案内できるという利点がある。特に、移動端末機は、ユーザー情報または環境情報を考慮してメイクアップ結果シミュレーションを表示することができるので、メイクアップする日の条件や状況などに応じた最適のメイクアップ方法を推奨することができるという利点がある。
【００３４】
本発明の実施形態によると、移動端末機は、現在位置に基づいて化粧品の認識範囲を調節することによって、ユーザーが保有している化粧品のみを認識する確率を向上させることができるという利点がある。
【００３５】
本発明の実施形態によると、ユーザーの好みに合わせて化粧品の認識範囲を調節することができるという利点がある。
【００３６】
本発明の実施形態によると、同じ位置で化粧品を再認識して化粧品リストを所定の周期ごとにアップデートすることによって、化粧品の変更事項を迅速にユーザーに案内することができるという利点がある。
【図面の簡単な説明】
【００３７】
【図１】本発明の実施形態に係る化粧品自動認識システムを示す概略図である。
【図２】本発明の実施形態に係る移動端末機の制御ブロック図である。
【図３】本発明の実施形態に係る移動端末機の動作方法を示すラダーダイアグラムである。
【図４】本発明の一実施形態に係る入力部を介して化粧品認識命令を受信する方法を示す例示図である。
【図５】本発明の実施形態に係る現在位置に基づいて化粧品を認識する方法を示す例示図である。
【図６】本発明の実施形態に係る現在位置に基づいて化粧品を認識する方法を示す例示図である。
【図７】本発明の実施形態に係る設定された認識範囲に基づいて化粧品を認識する方法を示す例示図である。
【図８】本発明の実施形態に係るＲＦＩＤタグから受信される化粧品情報を示す例示図である。
【図９】本発明の実施形態に係る化粧品リストの表示方法を示す例示図である。
【図１０】本発明の実施形態に係る保有化粧品のみを手動で設定する方法を示す例示図である。
【図１１】本発明の第１実施形態に係る保有化粧品を示す化粧品リストの表示方法を示す例示図である。
【図１２】本発明の第２実施形態に係る保有化粧品を示す化粧品リストの表示方法を示す例示図である。
【図１３】本発明の第１実施形態に係る残余使用期間による化粧品リストの表示方法を示す例示図である。
【図１４】本発明の第２実施形態に係る残余使用期間による化粧品リストの表示方法を示す例示図である。
【図１５】本発明の実施形態に係る未使用／購買提案による化粧品リストの表示方法を示す例示図である。
【図１６】本発明の実施形態に係るメイクアップ方法を推奨する例示図である。
【図１７】本発明の第１実施形態に係るメイクアップの結果シミュレーションを示す例示図である。
【図１８】本発明の第２実施形態に係るメイクアップの結果シミュレーションを示す例示図である。
【図１９】本発明の第２実施形態に係るメイクアップの結果シミュレーションを示す例示図である。
【図２０】本発明の第２実施形態に係るメイクアップの結果シミュレーションを示す例示図である。
【図２１】本発明の第２実施形態に係るメイクアップの結果シミュレーションを示す例示図である。
【図２２】本発明の実施形態に係るメイクアップ推奨結果で一部の化粧品の変更方法を示す例示図である。
【図２３】本発明の実施形態に係る他のメイクアップ推奨方法を示す例示図である。
【図２４】本発明の実施形態に係るメイクアップ方法の変更結果を示す方法の例示図である。
【発明を実施するための形態】
【００３８】
以下、添付された図面を参照して本明細書に開示された実施形態を詳しく説明するが、図面符号に関係なく同一または類似の構成要素は同一の参照符号を付与し、これに対する重複説明は省略することにする。以下の説明で使用される構成要素に対する接尾辞「モジュール」および「部」は明細書作成の容易さだけが考慮されて付与されたり混用されるものであって、それ自体で互いに区別される意味または役割を有するものではない。また、本明細書に開示された実施形態を説明するにおいて、関連した公知技術に対する具体的な説明が、本明細書に開示された実施形態の要旨を曖昧にし得ると判断される場合には、その詳細な説明を省略する。また、添付された図面は、本明細書に開示された実施形態を易しく理解するためのものに過ぎず、添付された図面によって本明細書に開示された技術的思想が制限されず、本発明の思想および技術範囲に含まれるすべての変更、均等物ないし代替物を含むものと理解されるべきである。
【００３９】
第１、第２などのように序数を含む用語は多様な構成要素を説明するために使用され得るが、前記構成要素は前記用語によって限定されない。前記用語は一つの構成要素を他の構成要素から区別する目的のみで使用される。
【００４０】
単数の表現は文脈上明白に異なるように意味しない限り、複数の表現を含む。
【００４１】
本出願において、「含む」または「有する」などの用語は明細書上に記載された特徴、数字、ステップ、動作、構成要素、部品またはこれらを組み合わせたものが存在することを指定しようとするものであって、一つ又はそれ以上の他の特徴や数字、ステップ、動作、構成要素、部品またはこれらを組み合わせたものなどの存在または付加可能性を予め排除しないことと理解されるべきである。
【００４２】
以下、本発明の実施形態に係る移動端末機及び化粧品自動認識システムを説明する。
【００４３】
図１は、本発明の実施形態に係る化粧品自動認識システムを示す概略図である。
【００４４】
図１に図示されたように、本発明の実施例係る化粧品自動認識システムは、ＲＦＩＤタグ１１を有する化粧品１０と、ＲＦＩＤタグ１１を認識する移動端末機１００とを含むことができる。実施例により、化粧品自動認識システムは、移動端末機１００と信号を送受信するサーバー１をさらに含むことができる。
【００４５】
化粧品１０それぞれは、ＲＦＩＤタグ１１を含むことができる。すなわち、一つの化粧品１０ごとにＲＦＩＤタグ１１を含むことができる。
【００４６】
化粧品１０は、ＲＦＩＤタグ１１を含むことができ、ＲＦＩＤタグ１１は、化粧品１０に付着され得る。
【００４７】
ＲＦＩＤタグ１１は、化粧品情報を保存することができる。化粧品情報は、ＲＦＩＤタグ１１が付着された化粧品１０と関連した情報を示すことができる。例えば、化粧品情報は、名称、画像、カテゴリー、製造日付、属性（成分、色、効果など）及びメーカーのうち、少なくとも一部または全部を含むことができる。しかし、これは例示的なものに過ぎず、化粧品情報は、前に列挙した情報のほかに、他の情報もさらに含むことができる。
【００４８】
ＲＦＩＤタグ１１は、化粧品１０ごとに異なる情報を保存することができる。具体的には、ＲＦＩＤタグ１１は、付着された化粧品の種類によって異なる情報を保存するだけでなく、ＲＦＩＤタグ１１は、同じ種類の化粧品であっても付着される化粧品１０によって異なる情報を保存することができる。例えば、同じ種類の化粧品に付着されたＲＦＩＤタグ１１の場合、製造日付などが異なる化粧品情報を保存することができる。
【００４９】
一方、場合によっては、複数のＲＦＩＤタグ１１それぞれは、同じ化粧品情報を保存することもできる。
【００５０】
ＲＦＩＤタグ１１は、小型ＩＣチップとアンテナ、化粧品情報を保存するメモリ、乾電池などを内蔵しており、保存された化粧品情報をプロトコルを介して後述するＲＦＩＤリーダー部に転送することができる。ＩＣチップは、識別コードを保存することができる。
【００５１】
一方、実施形態により、化粧品１０は、周波数帯域がそれぞれ異なるアンテナを有する複数のＲＦＩＤタグ１１を含むか、化粧品１０は、一つのＲＦＩＤタグ１１を含み、一つのＲＦＩＤタグ１１は、周波数帯域がそれぞれ異なるアンテナを含むことができる。これにより、後述するように、ＲＦＩＤリーダー部は、化粧品の認識範囲を調節することができる。
【００５２】
サーバー１は、化粧品リストの生成と関連した情報を移動端末機１００に転送することができる。化粧品リストの生成と関連した情報は、化粧品リストを構成するそれぞれの化粧品に対する化粧品情報と、化粧品リストの生成に使用される関数またはアプリケーションデータなどのうち少なくとも一つを含むことができる。
【００５３】
サーバー１は、所定の周期ごとに化粧品情報をアップデートし、アップデートされた化粧品情報を保存することができる。これにより、サーバー１は、化粧品それぞれの最新情報を保存することができる。
【００５４】
サーバー１は、化粧品リストの生成に使用される関数データまたはアプリケーションデータを保存することができる。
【００５５】
サーバー１は、ＲＦＩＤリーダー部からデータを受信して処理するホストであり得る。
【００５６】
サーバー１は、移動端末機１００と無線通信を行うことができる。
【００５７】
図２は、本発明の実施形態に係る移動端末機の制御ブロック図である。
【００５８】
移動端末機１００は、無線通信部１０１、入力部１０３、カメラ１０５、位置検出部１０７、ディスプレイ部１０９、メモリ１１１、ＲＦＩＤリーダー部１１３、バーコードリーダー部１１５、及び制御部１１７のうち少なくとも一部又は全部を含むことができる。一方、図２に示された構成要素は、例示的なものに過ぎず、移動端末機１００は、図２に示された構成要素のほかに他の構成要素をさらに含むこともできる。
【００５９】
無線通信部１０１は、他の移動端末機と無線信号の送受信をしたり、サーバー１と無線信号を送受信することができる。
【００６０】
無線通信部１０１は、サーバー１から化粧品リストを生成するためのアプリケーションを受信することができる。
【００６１】
無線通信部１０１は、後述するＲＦＩＤリーダー部１１３およびバーコードリーダー部１１５のそれぞれを含む一つのモジュールに形成されるか、または別のモジュールに形成され得る。
【００６２】
入力部１０３は、ユーザーから命令を入力され得る。入力部１０３は、キーボタンを備えたり、タッチスクリーンに形成されてもよい。
【００６３】
入力部１０３は、化粧品の認識命令を受信することができる。また、入力部１０３は、保有する化粧品だけを特定するための命令、メイクアップの推奨を受けるための命令、化粧品リストの表示方式を変更する命令などを受信することができる。
【００６４】
カメラ１０５は、ユーザーの顔画像を撮影することができる。制御部１１７は、カメラ１０５で撮影した顔画像に推奨のメイクアップを適用してメイクアップ結果シミュレーションを実行することができる。
【００６５】
位置検出部１０７は、移動端末機１００の現在位置を検出することができる。位置検出部１０７は、ＧＰＳ（Ｇｌｏｂａｌ  Ｐｏｓｉｔｉｏｎｉｎｇ  Ｓｙｓｔｅｍ）を含むことができる。
【００６６】
制御部１１７は、ホームの位置とオフィスの位置などを予め設定することができ、位置検出部１０７を介して、現在位置がホームであるか、またはオフィスであるかなどを検出することができる。
【００６７】
ディスプレイ部１０９は、周辺に位置した化粧品を認識し、認識された化粧品を示す化粧品リストを表示することができる。このほかにも、ディスプレイ部１０９は、化粧品リストと関連した多様な情報を表示することができる。
【００６８】
メモリ１１１は、化粧品リストの生成と関連した情報、既に生成された化粧品リスト、認識された化粧品の化粧品情報などを保存することができる。
【００６９】
ＲＦＩＤリーダー部１１３は、少なくとも一つのＲＦＩＤタグ１１を認識して化粧品を認識することができる。具体的には、ＲＦＩＤリーダー部１１３は、ＲＦ信号を送信し、ＲＦ信号がＲＦＩＤタグ１１に到達することにしたがってＲＦＩＤタグ１１から化粧品情報を受信することによって化粧品を認識することができる。
【００７０】
具体的には、ＲＦＩＤリーダー部１１３は、アンテナを含むことができ、アンテナを用いて設定された周波数とプロトコルを介してＲＦＩＤタグ１１から化粧品情報を受信することができる。
【００７１】
一実施形態によると、ＲＦＩＤリーダー部１１３は、多様な周波数帯域と異種プロトコルをサポートするマルチバンド／マルチプロトコル端末機であり得る。
【００７２】
別の実施形態によると、ＲＦＩＤリーダー部１１３は、複数のＲＦＩＤリーダー（Ｒｅａｄｅｒ）を含み、複数のＲＦＩＤリーダーそれぞれは、周波数帯域が異なるアンテナを有することができる。
【００７３】
また、別の実施形態によると、ＲＦＩＤリーダー部１１３は、一つのＲＦＩＤリーダーを含み、一つのＲＦＩＤリーダーは、周波数帯域が異なる複数のアンテナを備えることができる。
【００７４】
一方、本発明の実施形態に係る移動端末機１００は、ＲＦＩＤを利用するＲＦＩＤリーダー部１１３を含むことが望ましいが、実施形態により、ＲＦＩＤリーダー部１１３ではなく、他の近距離通信技術を利用する近距離通信モジュールを含むこともできる。
【００７５】
移動端末機１００は、バーコードリーダー部１１５をさらに含むことができる。バーコードリーダー部１１５は、バーコード（Ｂａｒ  ｃｏｄｅ）を読み取ることができる。特に、本発明では、化粧品１０に付着されたバーコードを認識することができる。
【００７６】
場合によって、ユーザーは、ＲＦＩＤ方式で周辺に位置した化粧品を認識するように制御したが、認識されなかった化粧品が存在することがある。このとき、ユーザーは、バーコードリーダー部１１５を利用して、認識されなかった化粧品を手動で認識することができる。このように、本発明の実施形態に係る移動端末機１００は、ＲＦＩＤリーダー部１１３とバーコードリーダー部１１５の両方とも備えて、化粧品を自動及び手動で認識可能であり、周辺に位置した化粧品を漏れなくすべて認識することができるという利点がある。
【００７７】
制御部１１７は、移動端末機１００の全般的な動作を制御することができる。制御部１１７は、ＲＦＩＤリーダー部１１３を介して周辺に位置した化粧品を認識するように制御したり、ＲＦＩＤリーダー部１１３及び／又はバーコードリーダー部１１５を介して認識した化粧品を利用して化粧品リストを生成したり、化粧品リストに含まれた化粧品を利用したメイクを推奨するなどの動作を制御することができる。
【００７８】
図３は、本発明の実施形態に係る移動端末機の動作方法を示すラダーダイアグラムである。
【００７９】
サーバー１は、化粧品情報をアップデート及び保存することができる（Ｓ３０１）。
【００８０】
サーバー１は、既にリリースされた化粧品情報を保存しており、既にリリースされた化粧品情報に変更事項が生じた場合、変更事項を反映して化粧品情報をアップデート及び保存することができる。
【００８１】
また、サーバー１は、新しい化粧品がリリースされると、新しい化粧品の情報を受信して保存することができる。
【００８２】
また、サーバー１は、化粧品リストの生成と関連した多様な情報を保存することができる。
【００８３】
一方、移動端末機１００の制御部１１７は、ユーザー情報を受信することができる（Ｓ３０３）。
【００８４】
ここで、ユーザー情報は、化粧品リストを生成しようとするユーザーと関連した情報として、移動端末機１００の現在位置情報、移動端末機１００に登録された日程（ｓｃｈｅｄｕｌｅ）情報などを含むことができる。
【００８５】
制御部１１７は、リアルタイムで位置検出部１０７を介して現在位置を検出して、現在位置情報を受信したり、メモリ１１１に保存された日程情報を読み込んで日程情報を受信することができる。
【００８６】
制御部１１７は、化粧品の認識範囲を設定するとき、現在位置情報を利用することができる。制御部１１７は、メイクアップを推奨するとき、日程情報を利用することができる。
【００８７】
実施例により、制御部１１７は、現在位置が既に設定された位置の場合、ステップＳ３０７の化粧品認識命令が受信されたことと認識することができる。または、制御部１１７は、メモリ１１１に保存された日程情報に応じた日付および時間に到来すると、ステップＳ３０７の化粧品認識命令が受信されたことと認識することができる。
【００８８】
又は、ステップＳ３０３とステップＳ３０７の順序は、変更されてもよい。
【００８９】
制御部１１７は、環境情報を受信することができる（Ｓ３０５）。
【００９０】
ここで、環境情報は、気象情報または粒子状物質濃度情報などを含むことができる。
【００９１】
制御部１１７は、所定の周期ごとに無線通信部１０１を介して環境情報を受信することができる。
【００９２】
又は、ステップＳ３０５とステップＳ３０７の順序は、変更され得、順序が変更される場合、制御部１１７は、化粧品認識命令を受信することによって環境情報を受信することができる。
【００９３】
制御部１１７は、メイクアップを推奨するとき、環境情報を利用することができる。
【００９４】
制御部１１７は、化粧品認識命令を受信することができる（Ｓ３０７）。制御部１１７は、化粧品認識命令を受信すると、ＲＦＩＤリーダー部１１３及びバーコードリーダー部１１５のうち少なくとも一つを介して化粧品を認識することができる（Ｓ３０９）。
【００９５】
一実施形態によると、制御部１１７は、入力部１０３を介して化粧品認識命令を受信することができる。ユーザーは、入力部１０３を介して化粧品認識命令を入力することができる。
【００９６】
別の実施形態によると、制御部１１７は、現在地が既に設定された位置として認識されることによって化粧品認識命令を受信することができる。既に設定された位置は、少なくとも一つであり得、例えば、ホーム、オフィスなどであり得る。制御部１１７は、現在地がホームである場合、化粧品を認識するように設定された場合、現在地がホームとして検出される度に化粧品認識命令が受信されたことと見なして化粧品を認識することができる。ホーム、オフィスなどの位置は、例示的なものに過ぎないので、これに限定されない。
【００９７】
また、別の実施形態に係ると、制御部１１７は、日程情報に応じた日付及び時刻に基づいて化粧品認識命令を受信することができる。例えば、制御部１１７は、２０１８年０４月１８日夜７時に集まりなどの日程が登録された場合、２０１８年０４月１８日午前６時に化粧品認識命令が受信されたことと見なして、化粧品を認識することができる。
【００９８】
次に、図４は、本発明の一実施形態に係る入力部を介して化粧品認識命令を受信する方法を示す例示図であり、図５及び図６は、本発明の実施形態に係る現在位置に基づいて化粧品を認識する方法を示す例示図であり、図７は、本発明の実施形態に係る設定された認識範囲に基づいて化粧品を認識する方法を示す例示図である。
【００９９】
図４を参照すると、ディスプレイ部１０９は、化粧品認識入力画面を表示することができる。化粧品認識入力画面は、少なくとも一つの化粧品認識設定項目４１０、４２０、４３０と、認識アイコン３１と、キャンセルアイコン３２とを含むことができる。
【０１００】
化粧品認識設定項目４１０、４２０、４３０は、位置ベースの化粧品認識項目４１０と、設定距離ベースの化粧品認識項目４２０と、バーコードベースの化粧品認識項目４３０とを含むことができる。
【０１０１】
制御部１１７は、いずれか一つの化粧品認識設定項目４１０、４２０、４３０を選択した後、認識アイコン３１の選択命令を受信することができる。制御部１１７は、認識アイコン３１が選択されることに従って化粧品認識命令を受信することができる。制御部１１７は、化粧品認識命令を受信すると、選択された化粧品認識設定項目に基づいて化粧品を認識することができる。
【０１０２】
制御部１１７は、位置ベースの化粧品認識項目４１０が選択された場合、現在位置を基準に化粧品を認識することができる。
【０１０３】
具体的には、制御部１１７は、現在位置を検出し、現在地が第１位置である場合、化粧品の認識範囲を第１範囲として設定して化粧品を認識し、現在地が第２位置である場合、化粧品の認識範囲を第２範囲として設定して化粧品を認識することができる。
【０１０４】
第１位置と第２位置は、予め設定されていることがある。例えば、第１位置は、ホームとして設定された位置であり、第２位置は、オフィスとして設定された位置であり得る。
【０１０５】
第１範囲と第２範囲は、予め設定されていることがある。例えば、第１範囲は、半径Ｄ１以内の範囲であり、第２範囲は、半径Ｄ２以内の範囲であり得る。
【０１０６】
図５に示されたように、制御部１１７は、現在地がホームである場合、半径Ｄ１以内の化粧品を認識して、第１ないし第６化粧品Ｃ１〜Ｃ６を認識することができる。
【０１０７】
一方、図６に示されたように、制御部１１７は、現在地がオフィスである場合、半径Ｄ２以内の化粧品を認識して、第１０及び第１１化粧品Ｃ１０、Ｃ１１を認識し、第１ないし第９化粧品Ｃ１〜Ｃ９と第１２ないし第１５化粧品Ｃ１２〜Ｃ１５を認識できないことがある。
【０１０８】
この場合、制御部１１７は、現在位置の特性に合わせて認識範囲を設定して化粧品を認識可能であるという利点がある。即ち、現在地がホームである場合は、ホームに位置する化粧品のほとんどは、ユーザーの化粧品である可能性が高いので、認識範囲を広く設定し、現在地がオフィスである場合、オフィスに位置する化粧品は、他のユーザーの化粧品が多く存在するので、認識範囲を狭く設定して、ユーザーが保有した化粧品のみを認識する可能性を高めることができる。
【０１０９】
一方、位置ベースの化粧品認識項目４１０が選択された場合を例として挙げたが、図５及び図６は、現在位置が既に設定された位置である場合に、化粧品認識命令を受信した場合にも適用できる。
【０１１０】
再び、図４を参照すると、制御部１１７は、設定距離ベースの化粧品認識項目４２０が選択された場合、設定距離を基準に化粧品を認識することができる。設定距離ベースの化粧品認識項目４２０は、第１半径（例えば、３ｍ）以内の化粧品を認識するための項目４２１、第２半径（例えば、１ｍ）以内の化粧品を認識するための項目４２２及び第３半径（例えば、５０ｃｍ）以内の化粧品を認識するための項目４２３を含むことができる。しかし、設定半径と項目の個数は例示的なものに過ぎないので、これに限定されない。
【０１１１】
制御部１１７は、設定距離ベースの化粧品認識項目４２０が選択されると、設定された認識範囲内に存在する化粧品を認識することができる。例えば、図７に示されたように、設定された認識範囲が半径Ｄ３以内の範囲である場合、制御部１１７は、半径Ｄ３以内の化粧品を認識して、第３化粧品Ｃ３、第６化粧品Ｃ６、および第１２及び第１３化粧品Ｃ１２、Ｃ１３を認識し、第１及び第２化粧品Ｃ１、Ｃ２、第４及び第５化粧品Ｃ４、Ｃ５、第７ないし第１１化粧品Ｃ７〜Ｃ１１、および第１４及び 第１５化粧品Ｃ１４、Ｃ１５を認識できないことがある。
【０１１２】
この場合、ユーザーの好みに合わせて認識範囲を設定し、設定された認識範囲内でのみ化粧品を認識することができるという利点がある。
【０１１３】
このように、本発明の実施形態によると、制御部１１７は、化粧品の認識範囲を設定し、認識範囲内に存在する化粧品のみ認識することができる。
【０１１４】
制御部１１７は、化粧品の認識範囲によって化粧品を認識するためにＲＦＩＤリーダー部１１３が送信するＲＦ信号の周波数を調節することができる。
【０１１５】
具体的には、制御部１１７は、化粧品の認識範囲が第１範囲として設定された場合、第１周波数を有するＲＦ信号を送信して化粧品を認識し、化粧品の認識範囲が第２範囲として設定された場合、第２周波数を有するＲＦ信号を送信して化粧品を認識し、化粧品の認識範囲が第３範囲として設定された場合、第３周波数を有するＲＦ信号を送信して化粧品を認識することができる。このとき、第１範囲は半径５００ｃｍ以内の範囲であり、第１周波数は１２５ｋＨｚであり、第２範囲は半径１ｍ以内の範囲であり、第２周波数は２．４５ＧＨｚであり、第３範囲は半径５０ｍ以内の範囲であり、第３周波数は４３３ＭＨｚであり得るが、これは説明の便宜のために例示を挙げたものに過ぎないので、これに限定される必要はない。
【０１１６】
本発明の一実施形態によると、ＲＦＩＤリーダー部１１３は、相異なる周波数を有するアンテナを複数備えているので、ＲＦ信号の周波数を調節することができる。または、ＲＦＩＤリーダー部１１３は、相異なる周波数を有する複数のＲＦＩＤリーダーを含んでいるので、いずれか一つのＲＦＩＤリーダーを駆動させることによってＲＦ信号の周波数を調節することができる。
【０１１７】
ＲＦＩＤタグ１１も同様に、周波数の相異なるアンテナを複数備えたり、複数のＲＦＩＤタグを含むことができる。
【０１１８】
制御部１１７は、このような方法でＲＦ信号の周波数を調節して認識範囲を変更することができる。しかし、これもまた例示的なものに過ぎないので、他の方法で認識範囲を変更することもできる。
【０１１９】
再び、図４を参照すると、制御部１１７は、バーコードベースの化粧品認識項目４３０が選択された場合、バーコードリーダー部１１５を駆動させて化粧品を認識することができる。バーコードリーダー部１１５は、化粧品に付着されたバーコードを読み取って化粧品を認識することができる。
【０１２０】
この場合、ユーザーは、バーコードリーダー部１１５に化粧品のバーコードを近接して位置させることにより、化粧品を手動で認識させることができるという利点がある。
【０１２１】
制御部１１７は、ステップＳ３０９で化粧品を認識することにより、化粧品情報を受信することができる。即ち、制御部１１７は、ＲＦＩＤリーダー部１１３がＲＦＩＤタグ１１にＲＦ信号を送信するように制御し、ＲＦＩＤタグ１１から化粧品情報を受信して化粧品を認識することができる。
【０１２２】
図８は、本発明の実施形態に係るＲＦＩＤタグから受信される化粧品情報を示す例示図である。
【０１２３】
ＲＦＩＤリーダー部１１３は、ＲＦＩＤタグ１１から化粧品情報を受信することができ、化粧品情報は、ＲＦＩＤタグ１１が付着された化粧品１０と関連した情報であり得る。化粧品情報は、名称、イメージ、カテゴリー、製造日付、ＲＦＩＤタグを認識した認識日付及び属性のうち少なくとも一部または全部を含むことができる。
【０１２４】
再び、図３を説明する。
【０１２５】
制御部１１７は、認識された化粧品情報をサーバー１に送信し（Ｓ３１１）、認識された化粧品の詳細情報をサーバー１から受信することができる（Ｓ３１３）。
【０１２６】
制御部１１７は、ステップＳ３１１及びステップＳ３１３を介して認識された化粧品と関連した詳細情報及び最新情報を受信することができる。
【０１２７】
実施例により、ステップＳ３１１及びステップＳ３１３は省略されることもある。
【０１２８】
制御部１１７は、認識された化粧品から構成される化粧品リストを生成することができる（Ｓ３１５）。
【０１２９】
制御部１１７は、化粧品情報に基づいて化粧品リストを生成することができる。
【０１３０】
化粧品リストは、認識された化粧品を示すリストであって、ＲＦＩＤリーダー部１１３を介して認識された少なくとも一つの化粧品が化粧品カテゴリーに従って区分されるリストであり得る。化粧品リストは、バーコードリーダー部１１５を介して認識された化粧品をさらに含むことができる。また、化粧品リストは、入力部１０３を介してユーザーから手動で入力された化粧品をさらに含むことができる。
【０１３１】
例えば、化粧品カテゴリーは、基礎化粧品と色調化粧品を区分する大分類カテゴリーと、基礎化粧品のスキン、エッセンス、アイクリーム、ローション、デイクリーム及びサンスクリーンクリームを区分する小分類カテゴリーと、色調化粧品のベース、ファンデーション、アイブロー、アイライン、リップ、及びブラッシャーを区分する小分類カテゴリーを含むことができる。即ち、化粧品リストは、認識された化粧品それぞれに対して、基礎化粧品のスキン、エッセンス、アイクリーム、ローション、デイクリーム、及びサンスクリーンクリームのいずれか一つ、または、色調化粧品のベース、ファンデーション、アイブロー、アイライン、リップ、及びブラッシャーのいずれか一つに属するかを判断して、各カテゴリーごとに表示されるリストであり得る。
【０１３２】
ディスプレイ部１０９は、生成された化粧品リストを表示することができる（Ｓ３１７）。
【０１３３】
制御部１１７は、化粧品リストのビューオプション設定命令を受信したかを判断し（Ｓ３１９）、ビューオプション設定命令を受信した場合、ビューオプション設定命令に従って、化粧品リストを変更することができる（Ｓ３２１）。
【０１３４】
図９ないし図１５を参照して、本発明の実施形態に係る化粧品リストの表示方法を説明する。
【０１３５】
図９は、本発明の実施形態に係る化粧品リストの表示方法を示す例示図である。
【０１３６】
図９を参照すると、ディスプレイ部１０９は、化粧品リスト９０を表示することができる。実施例により、ディスプレイ部１０９は、化粧品リスト９０と共にビューオプション設定項目８０をさらに表示することができる。
【０１３７】
制御部１１７は、ビューオプション設定項目８０のうちいずれか一つを選択する命令を受信すると、選択されたビューオプション設定項目に従って化粧品リストを変更して表示することができる。ビューオプションの設定項目は「保有化粧品のみ設定後のビュー」項目、「残余使用期間によるビュー」項目および「未使用／購買提案のビュー」項目を含むことができるが、これは例示的なものに過ぎない。
【０１３８】
図１０は、本発明の実施形態に係る保有化粧品のみ手動で設定する方法を示す例示図であり、図１１は、本発明の第１実施形態に係る保有化粧品を示す化粧品リストの表示方法を示す例示図であり、図１２は、本発明の第２実施形態に係る保有化粧品を示す化粧品リストの表示方法を示す例示図である。
【０１３９】
図１０に図示されたように、制御部１１７は、化粧品リスト９０に認識された化粧品それぞれを示す認識化粧品アイコン９１を表示し、認識化粧品アイコン９１それぞれを化粧品カテゴリーに従って区分することができる。ユーザーは、認識化粧品アイコン９１のうち保有している化粧品を示す認識化粧品アイコン９１を選択することができる。制御部１１７は、認識化粧品アイコン９１のうち選択された認識化粧品アイコンに対しては、状態アイコン９２に選択アイコン９３をさらに表示し、選択されていない認識化粧品アイコンに対しては、状態アイコン９２に選択アイコン９３を表示しないことがある。
【０１４０】
このような方法で、ユーザーは認識された化粧品の中からユーザーが実際に保有している化粧品のみを手動で選択することができる。
【０１４１】
制御部１１７は、化粧品リスト９０から少なくとも一つの認識化粧品アイコン９１を選択する命令を受信した後、保存アイコン３５を選択する命令を受信すると、選択された認識化粧品で構成される化粧品リストを保存することができる。
【０１４２】
図１１を参照すると、制御部１１７は、認識された化粧品のうち選択された化粧品のみで構成された化粧品リスト９０ａを表示することができる。
【０１４３】
即ち、制御部１１７は、認識された化粧品で構成された化粧品リスト９０をユーザーが実際に保有しているものとして選択した化粧品のみで構成された化粧品リスト９０ａに変更して、ディスプレイ部１０９に表示することができる。
【０１４４】
一方、図１２に示されたように、制御部１１７は、認識された化粧品の中で選択された化粧品と選択されない化粧品とを区別して構成された化粧品リスト９０ｂを表示することができる。
【０１４５】
即ち、制御部１１７は、認識された化粧品で構成された化粧品リスト９０をユーザーが実際に保有しているものとして選択した化粧品と選択していない化粧品が相異なるように表示されるように構成された化粧品リスト９０ｂに変更して、ディスプレイ部１０９に表示することができる。
【０１４６】
制御部１１７は、保有化粧品リスト９４をさらに表示することができる。保有化粧品リスト９４は、図１０を介して説明したような方法により特定化粧品が選択されて保存された化粧品リストを含むことができる。
【０１４７】
これにより、制御部１１７は、それぞれの場所に存在するユーザーだけの保有化粧品リストを生成することができる。例えば、制御部１１７は、ホームに存在する化粧品を示す保有化粧品リスト、オフィスに存在する化粧品を示す保有化粧品リスト、および外出用として使用する化粧品を示す保有化粧品リストを保存することができる。
【０１４８】
制御部１１７は、ユーザーが選択した化粧品を示す保有アイコン９１ａと選択していない化粧品を示す未保有アイコン９１ｂを介して保有化粧品を示す化粧品リスト９０ｂを表示することができる。このとき、制御部１１７は、未保有化粧品情報９５をさらに表示することができる。未保有化粧品情報９５は、化粧品リスト９０ｂの未保有アイコン９１ｂに対応する化粧品それぞれの情報を示すことができる。特に、未保有化粧品情報９５は、未保有アイコン９１ｂに対応する化粧品それぞれの購買情報または販売情報を含むことができ、例えば、化粧品の購買可能場所、品切れ状態、生産中止状態、販売順位状態などを含むことができる。
【０１４９】
次に、図１３は、本発明の第１実施形態に係る残余使用期間による化粧品リストの表示方法を示す例示図であり、図１４は、本発明の第２実施形態に係る残余使用期間による化粧品リストの表示方法を示す例示図である。
【０１５０】
制御部１１７は、化粧品リスト９０を表示する場合、化粧品の残余使用期間が短い順に化粧品を表示することができる。
【０１５１】
また、図１３に示されたように、本発明の第１実施形態によると、制御部１１７は、認識化粧品アイコン９１と残余期間アイコン９６を含む化粧品リスト９０を表示することができる。化粧品リスト９０は、ＲＦＩＤリーダー部１１３又はバーコードリーダー部１１５を介して認識された化粧品を示す少なくとも一つの認識化粧品アイコン９１を含み、認識化粧品アイコン９１それぞれは、残余期間アイコン９６を含むことができる。
【０１５２】
残余期間アイコン９６は、認識化粧品アイコン９１に対応する化粧品の残余使用期間を含むことができる。化粧品の残余使用期間は、化粧品情報に含まれた化粧品の生産日付情報及び化粧品を認識した認識日付情報のうち少なくとも一つに基づいて算出することができる。具体的な例を挙げると、制御部１１７は、化粧品情報に含まれた化粧品の生産日付に当該化粧品の平均的な使用可能期間を加えて化粧品の有効期間を算出した後、現在の日付から有効期間までの残りの期間を残余使用期間として算出することができる。または、化粧品情報に化粧品の生産日付の情報がない場合、ＲＦＩＤリーダー部１１３またはバーコードリーダー部１１５を介して化粧品を認識した認識日付に当該化粧品の平均使用期間、または当該化粧品の平均使用期間から一定の期間を引いた期間を加えて化粧品の有効期間を算出し、現在の日付から有効期間までの残りの期間を残余期間として算出することができる。場合によって、ＲＦＩＤタグ１１から受信される化粧品情報には、化粧品の有効期限情報が含まれることもある。
【０１５３】
例えば、残余期間アイコン９６は「６Ｍ」、「５Ｄ」、「１Ｗ」または「１Ｙ」などのように化粧品の残余使用期間を示すことができ、「６Ｍ」は残余使用期間が６ヶ月であることを示し、「５Ｄ」は残余使用期間が５日であることを示し、「１Ｗ」は残余使用期間が１週間であることを示し、「１Ｙ」は残余使用期間が１年であることを示すことができる。しかし、このような方法は例示的なものに過ぎないので、これに限定される必要はない。
【０１５４】
図１４に示されたように、本発明の第２実施形態によると、制御部１１７は、化粧品リスト９０に含まれた化粧品のうち、残余使用期間が既に設定された期間未満の化粧品に対して期間切迫アイコン９７をさらに表示することができる。具体的には、制御部１１７は、化粧品リスト９０に含まれた化粧品のうち、残余使用期間が設定された期間未満の化粧品を獲得し、獲得された化粧品の認識化粧品アイコン９１に対応して期間切迫アイコン９７を表示することができる。
【０１５５】
これにより、ユーザーは、保有している化粧品のうち、早く使用しなければならないか、または使用を自制しなければならない化粧品を早く確認することができるという利点がある。
【０１５６】
次に、図１５は、本発明の実施形態に係る未使用／購買提案に従う化粧品リストの表示方法を示す例示図である。
【０１５７】
制御部１１７は、化粧品リスト９０に化粧品の使用を制限する未使用提案アイコン９８または化粧品購買を提案する購買提案アイコン９９をさらに表示することができる。
【０１５８】
未使用提案アイコン９８は、認識された化粧品のうち、化粧品の有効期間が経過した（残余使用期間がマイナスの場合）化粧品、化粧品の成分の中に有害な成分が存在する化粧品、化粧品の成分の中にユーザーの肌に合わない成分が存在する化粧品などの認識化粧品アイコン９１に表示され得る。
【０１５９】
購買提案アイコン９９は、ユーザーに購買を提案する化粧品を示すアイコンであって、認識されていない化粧品を示すアイコンであり得る。制御部１１７は、認識された化粧品がない化粧品カテゴリーが存在する場合、当該化粧品カテゴリーに該当する少なくとも一つの化粧品を含む購買提案アイコン９９を表示することができる。または、制御部１１７は、同じ位置で化粧品を再認識する場合、直前に認識されていた化粧品が再認識時に認識されない場合、通知を表示することができる。即ち、制御部１１７は、第１位置で化粧品を認識して第１化粧品リストを生成し、第２位置で化粧品を認識して第２化粧品リストを生成することができる。制御部１１７は、第１位置で化粧品を再認識する場合、第１化粧品リストに含まれた化粧品の一部が認識されないか、または第１化粧品リストに含まれていない化粧品が認識されると通知を表示することができ、第２位置で化粧品を再認識する場合、第２化粧品リストに含まれた化粧品の一部が認識されないか、または第２化粧品リストに含まれない化粧品が認識されると通知を表示することができる。ここで、通知は、当該化粧品が消えるなどの変更事項が生じることを示す通知であるか、または類似した他の化粧品の購買を提案する購買提案アイコン９９を表示する通知であり得る。
【０１６０】
前述した化粧品リストのビューオプションは、例示的なものに過ぎないので、これに限定される必要はない。即ち、本発明の実施形態 によると、制御部１１７は、所定の距離で認識された化粧品を示す化粧品リストを多様な方法で表示することができる。
【０１６１】
再び、図３を説明する。
【０１６２】
制御部１１７は、化粧品リストに従ったメイクアップ推奨命令を受信したかを判断し（Ｓ３２３）、メイクアップ推奨命令を受信すると、化粧品リストに含まれた少なくとも一つの化粧品を利用したメイクアップ方法を表示することができる（Ｓ３２５）。
【０１６３】
制御部１１７は、化粧品リスト９０を表示する場合、メイクアップ推奨アイコン３３をさらに表示することができる。制御部１１７は、メイクアップ推奨アイコン３３を選択する命令を受信すると、化粧品リスト９０に従ったメイクアップ推奨命令を受信したことと判断することができる。
【０１６４】
制御部１１７は、メイクアップ推奨命令を受信すると、化粧品リスト９０に含まれた化粧品を利用するメイクアップ方法を推奨および表示することができる。
【０１６５】
図１６は、本発明の実施形態に係るメイクアップ方法の推奨する方法を示す例示図である。
【０１６６】
図１６に図示されたように、制御部１１７は、メイクアップ推奨結果７０を表示することができる。メイクアップ推奨結果７０は、化粧品リスト９０から複数の化粧品を獲得し、獲得された複数の化粧品を使用する順序情報を含むことができる。
【０１６７】
実施例により、制御部１１７は、化粧品リスト９０に含まれた化粧品のうち、化粧品カテゴリーごとに一つの化粧品を獲得することができる。または、制御部１１７は、化粧品カテゴリーごとに残余使用期間が短い化粧品を優先的に獲得することができる。または、制御部１１７は、ステップＳ３０３及びステップＳ３０５で受信したユーザー情報または環境情報に基づいて化粧品を獲得することができる。
【０１６８】
制御部１１７は、メイクアップ推奨結果７０と共に、メイクアップ詳細方法情報(図示せず)をさらに表示することができ、メイクアップ詳細方法情報は、メイクアップ推奨結果７０に含まれた各化粧品ごとに化粧品使用方法情報を含むことができる。
【０１６９】
制御部１１７は、メイクアップ推奨結果７０と共に、メイクアップ結果シミュレーションアイコン３６、または、他のメイクアップ推奨アイコン３７をさらに含むことができる。
【０１７０】
メイクアップ結果シミュレーションアイコン３６は、メイクアップ推奨結果７０によるメイクアップをユーザーが利用した場合をシミュレーションで示すアイコンであり得る。
【０１７１】
他のメイクアップ推奨アイコン３７は、表示されたメイクアップ推奨結果７０ではなく、他のメイクアップ推奨結果を表示するアイコンであって、同様に、他のメイクアップ推奨結果も化粧品リスト９０に含まれた化粧品で構成されるメイクアップの順序と方法を示すことができる。
【０１７２】
図１７は、本発明の第１実施形態に係るメイクアップ結果シミュレーションを示す例示図である。
【０１７３】
制御部１１７は、メイクアップ結果シミュレーションアイコン３６を選択する命令を受信すると、図１７に図示されたようにメイクアップシミュレーションイメージ７１を表示することができる。
【０１７４】
メイクアップシミュレーションイメージ７１は、カメラ１０５で撮影したユーザーの顔にメイクアップ推奨結果７０によるメイクアップを適用した結果を仮想的に予想したイメージであり得る。即ち、メイクアップシミュレーションイメージ７１は、メイクアップ推奨結果７０による化粧品の種類及び化粧の順序でメイクアップを完成した場合のユーザーの姿を示すイメージであり得る。
【０１７５】
これにより、ユーザーはメイクアップ推奨結果７０によるメイクアップを実際に利用する前にメイクアップ結果を確認してメイクアップ方法を選択できるという利点がある。
【０１７６】
図１８ないし図２１は、本発明の第２実施形態に係るメイクアップ結果シミュレーションを示す例示図である。
【０１７７】
制御部１１７は、メイクアップ推奨結果７０にユーザー情報及び環境情報のうち少なくとも一つを反映して、メイクアップシミュレーションイメージ７１ａを表示することができる。
【０１７８】
具体的には、制御部１１７は、メイクアップ推奨結果７０によるメイクアップを完成したメイクアップ顔画像７１ｂと、ユーザー情報及び環境情報のうち少なくとも一つに基づく背景画像７１ｃとを合成して、メイクアップシミュレーションイメージ７１ａを生成及び表示することができる。
【０１７９】
ここで、メイクアップ顔画像７１ｂは、図１７で説明したようなメイクアップシミュレーションイメージ７１と同一であり得る。
【０１８０】
背景画像７１ｃは、メイクアップ顔画像７１ｂの背景として合成される画像であって、ユーザー情報または環境情報によって変わることがある。
【０１８１】
具体的には、制御部１１７は、ユーザー情報として特定の場所での日程が登録されている場合、日程が登録された場所のイメージをサーバー1から受信して、背景画像７１ｃとして合成することができる。例えば、制御部１１７は、博物館での日程が登録されている場合、図１８に図示されたように、博物館の画像を受信して背景画像７１ｃとして獲得した後、メイクアップ顔画像７１ｂの背景として合成することができる。
【０１８２】
また、制御部１１７は、ユーザー情報として特定の時間での日程が登録されている場合、日程が登録された時間のイメージをサーバー1から受信して、背景画像７１ｃとして合成することができる。例えば、制御部１１７は、日程が登録されている時間帯の明るさを有するイメージを背景画像７１ｃとして獲得した後、メイクアップ顔画像７１ｂの背景として合成することができる。これにより、制御部１１７は、昼間の時間帯の日程が登録されている場合には、図１９に図示されたようにメイクアップ顔画像７１ｂの背景画像７１ｃに明るさが明るい背景画像を合成し、夜の時間帯の日程が登録されている場合には、図２０に図示されたようにメイクアップ顔画像７１ｂの背景画像７１ｃに明るさが暗い背景画像を合成することができる。制御部１１７は、同じ昼間の時間帯または夜の時間帯であっても、該当する季節の当該時間帯の明るさを獲得して、明るさが相異なる背景イメージを獲得することができる。これにより、ユーザーのメイクアップ結果を日程による周辺環境まで考慮して、より繊細に表示できるという利点がある。
【０１８３】
また、制御部１１７は、環境情報として天候を反映した背景画像７１ｃを獲得して、メイクアップ顔画像７１ｂに合成することができる。例えば、制御部１１７は、今日の天候が曇りの場合、図１９に示されたように雲のかかった背景画像７１ｃをサーバー１から受信して、メイクアップ顔画像７１ｂの背景として合成することができる。
【０１８４】
このように、本発明の実施形態によると、ユーザーのメイクアップ完成に伴う顔画像だけでなく、今日の天候、日程登録された場所、日程登録された時間帯に基づいて、背景画像の明るさ、照明の色などを考慮した背景画像を共に表示することができる。これにより、ユーザーは、単純にメイクアップ完成に伴う顔画像だけでなく、今日の天候、今日の場所などに適切であるかどうかまで確認できるという利点がある。
【０１８５】
制御部１１７は、メイクアップシミュレーションイメージ７１を表示する場合、一部の化粧品の変更アイコン３８をさらに表示することができる。
【０１８６】
一部の化粧品の変更アイコン３８は、メイクアップ推奨結果７０に表示された少なくとも一つの化粧品または化粧の順序を変更するためのアイコンであり得る。
【０１８７】
図２２は、本発明の実施形態に係るメイクアップ推奨結果で一部の化粧品の変更方法を示す例示図である。
【０１８８】
制御部１１７は、一部の化粧品の変更アイコン３８を選択した後、メイクアップ推奨結果７０からいずれか一つの化粧品を選択する命令を受信することができる。この場合、図２２に示されたように、制御部１１７は、選択された化粧品に対応する化粧品変更ガイド７２をさらに表示することができる。化粧品変更ガイド７２は、認識された化粧品のみで構成され得る。または、化粧品変更ガイド７２は、認識された化粧品と共に購買提案化粧品をさらに含むことができる。
【０１８９】
制御部１１７は、化粧品変更ガイド７２を介して他の化粧品を選択する命令を受信すると、選択された他の化粧品を適用してメイクアップシミュレーションイメージ７１を変更することができる。
【０１９０】
また、制御部１１７は、メイクアップ推奨結果７０から化粧品を選択及びドラッグして他の化粧品の位置にドロップして、化粧の順序変更命令を受信すると、それにより、メイクアップシミュレーションイメージ７１を変更して表示することができる。
【０１９１】
これにより、ユーザーは、メイクアップの結果を容易に予測可能であるという利点がある。
【０１９２】
一方、制御部１１７は、メイクアップ推奨結果７０が表示された画面で、他のメイクアップ推奨アイコン３７を選択する命令を受信することもできる。
【０１９３】
図２３は、本発明の実施形態に係る他のメイクアップを推奨する方法を示す例示図である。
【０１９４】
制御部１１７は、他のメイクアップ推奨アイコン３７を選択する命令を受信すると、メイクアップ方法選択項目７３を表示することができる。
【０１９５】
メイクアップ方法選択項目７３は、メイクアップの種類を示すことができる。例えば、メイクアップ方法選択項目７３は、「超簡単メイクアップ」、「フルメイクアップ」、「午前用メイクアップ」、「就寝前メイクアップ」、「人気メイクアップ」及び「美容機器追加」などを含むことができるが、これは例示的なものに過ぎないので、これに限定される必要はない。
【０１９６】
制御部１１７は、「超簡単メイクアップ」が選択されると、化粧品の個数を既に設定された個数未満とするメイクアップ方法を示すようにメイクアップ推奨結果７０を変更し、「フルメイクアップ」が選択されると、化粧品リスト９０に含まれた色調カテゴリーに該当する化粧品の個数が既に設定された個数以上とするメイクアップ方法を示すようにメイクアップ推奨結果７０を変更し、「午前用メイクアップ」が選択されると、日程などのようなユーザー情報または天候などの環境情報に基づいて化粧品リスト９０から化粧品を選択してメイクアップ推奨結果７０を変更し、「就寝前メイクアップ」が選択されると、保湿成分などが多い化粧品に、化粧品リスト９０から化粧品を選択してメイクアップ推奨結果７０を変更し、「人気メイクアップ」が選択されると、サーバー１から人気のあるメイクアップ方法を受信して、それに使用される化粧品を選択してメイクアップ推奨結果７０を変更し、「美容機器追加」が選択されると、既に登録された美容機器または周辺に存在する美容機器を認識して、メイクアップ方法に追加されるようにメイクアップ推奨結果７０を変更することができる。
【０１９７】
図２４は、本発明の実施形態に係るメイクアップ方法の変更結果を示す方法の例示図である。
【０１９８】
特に、図２４は、メイクアップ方法選択項目７３において「美容機器追加」が選択された場合を示す例示図である。
【０１９９】
制御部１１７は、メイクアップ方法選択項目７３から「美容機器追加」が選択されると、移動端末機１００に既に設定された美容機器を確認したり、所定の距離内に存在する美容機器を確認することができる。一実施形態によると、化粧品と同様に、美容機器にはＲＦＩＤタグ（図示せず）が付着されていることがあり、制御部１１７は、ＲＦＩＤリーダー部１１３を介して美容機器を認識して、美容機器の存在を確認することができる。
【０２００】
制御部１１７は、少なくとも一つの美容機器が確認されると、メイクアップ方法に表示された化粧品の間に美容機器アイコン７４が追加されるように変更されたメイクアップ推奨結果７０ａを表示することができる。
【０２０１】
しかし、図２３及び図２４で説明したメイクアップの種類及びメイクアップの変更方法は例示的なものに過ぎないので、これに限定される必要はない。
【０２０２】
前述の本発明は、プログラムが記録された媒体にコンピュータが判読可能なコードとして実現することが可能である。コンピュータの判読可能な媒体は、コンピュータシステムによって判読され得るデータが保存されるすべての種類の記録装置を含む。コンピュータが判読可能な媒体の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｉｓｋ）、ＳＤＤ（Ｓｉｌｉｃｏｎ  Ｄｉｓｋ  Ｄｒｉｖｅ）、ＲＯＭ、ＲＡＭ、ＣＤ−ＲＯＭ、磁気テープ、フロッピーディスク、光データ保存装置などがある。また、前記コンピュータは、移動端末機の制御部を含むこともできる。従って、前記の詳細な説明はすべての面で制限的に解釈されてはならず、例示的なものとして考慮されなければならない。
【０２０３】
本発明の範囲は、添付された請求項の合理的な解釈によって決定されなければならず、本発明の等価的範囲内でのすべての変更は本発明の範囲に含まれる。
【符号の説明】
【０２０４】
１  サーバー
１０  化粧品
１１  ＲＦＩＤタグ
１００  移動端末機
１０１  無線通信部
１０３  入力部
１０５  カメラ
１０７  位置検出部
１０９  ディスプレイ部
１１１  メモリ
１１３  ＲＦＩＤリーダー部
１１５  バーコードリーダー部
１１７  制御部
【図１】
2021519992.tif 000003
【図２】
2021519992.tif 000004
【図３】
2021519992.tif 000005
【図４】
2021519992.tif 000006
【図５】
2021519992.tif 000007
【図６】
2021519992.tif 000008
【図７】
2021519992.tif 000009
【図８】
2021519992.tif 000010
【図９】
2021519992.tif 000011
【図１０】
2021519992.tif 000012
【図１１】
2021519992.tif 000013
【図１２】
2021519992.tif 000014
【図１３】
2021519992.tif 000015
【図１４】
2021519992.tif 000016
【図１５】
2021519992.tif 000017
【図１６】
2021519992.tif 000018
【図１７】
2021519992.tif 000019
【図１８】
2021519992.tif 000020
【図１９】
2021519992.tif 000021
【図２０】
2021519992.tif 000022
【図２１】
2021519992.tif 000023
【図２２】
2021519992.tif 000024
【図２３】
2021519992.tif 000025
【図２４】
2021519992.tif 000026
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
メイクアップシミュレーションイメージを表示するディスプレイ部；および
前記メイクアップシミュレーションイメージを表示する場合、ユーザー情報及び環境情報の少なくとも一つが反映された前記メイクアップシミュレーションイメージを表示するように前記ディスプレイ部を制御する制御部を含む移動端末機。
【請求項２】
前記制御部は、
顔画像と背景画像を合成することによって、前記メイクアップシミュレーションイメージを表示し、
前記ユーザー情報または前記環境情報によって前記背景画像を相異なるように獲得する、請求項１に記載の移動端末機。
【請求項３】
前記制御部は、
前記ユーザー情報に含まれた日程の場所、前記ユーザー情報に含まれた前記日程の時間帯又は前記環境情報に含まれた気象情報のうち、少なくとも１つに基づいて、前記場所、明るさ又は照明色のうち少なくとも１つを考慮した前記背景画像を獲得する、請求項２に記載の移動端末機。
【請求項４】
前記制御部は、
前記ユーザー情報として第１場所での日程が登録された場合、前記第１場所の画像を前記背景画像として獲得する、請求項２に記載の移動端末機。
【請求項５】
前記制御部は、
前記ユーザー情報として第１時間帯での日程が登録された場合、第１時間帯に対応する明るさを有する画像を前記背景画像として獲得する、請求項２に記載の移動端末機。
【請求項６】
前記制御部は、
前記環境情報として気象情報を受信した場合、前記気象情報に応じた画像を前記背景画像として獲得する、請求項２に記載の移動端末機。
【請求項７】
ユーザーの顔を撮影するカメラをさらに含み、
前記制御部は、
前記カメラを介して撮影された顔にメイクアップ推奨結果によるメイクアップを適用することによって、前記顔画像を獲得する、請求項２に記載の移動端末機。
【請求項８】
メイクアップ推奨命令を受信する入力部をさらに含み、
前記制御部は、
前記メイクアップ推奨命令を受信した場合、メイクアップ推奨結果を表示し、前記メイクアップ推奨結果によるメイクアップ適用結果を算出することによって、前記メイクアップシミュレーションイメージを表示するように前記ディスプレイ部を制御する、請求項１に記載の移動端末機。
【請求項９】
近距離通信を介して化粧品を認識し、認識された化粧品に対する化粧品情報を受信する近距離通信モジュールをさらに含み、
前記制御部は、
前記近距離通信モジュールを介して認識された少なくとも一つの化粧品に基づいて前記メイクアップ推奨結果を表示するように前記ディスプレイ部を制御する、請求項８に記載の移動端末機。
【請求項１０】
前記制御部は、
前記入力部を介して化粧品変更命令を受信した場合、前記メイクアップ推奨結果に含まれた化粧品の種類または化粧の順序を変更する、請求項８に記載の移動端末機。
【請求項１１】
前記制御部は、
前記化粧品の種類又は前記化粧の順序を変更した場合、変更された化粧品の種類又は変更された化粧の順序に基づいて前記メイクアップシミュレーションイメージを変更する、請求項１０に記載の移動端末機。
【請求項１２】
前記制御部は、
前記化粧品変更命令を受信した場合、化粧品変更ガイドをさらに表示するように前記ディスプレイ部を制御する、請求項１０に記載の移動端末機。
【請求項１３】
前記制御部は、
前記化粧品変更ガイドを表示するとき、前記メイクアップ推奨結果に含まれた化粧品のうち少なくとも一つを周辺に存在することと認識された化粧品に変更するよう案内する、請求項１２に記載の移動端末機。
【請求項１４】
前記制御部は、
前記化粧品変更ガイドを表示するとき、新しい化粧品の購買を提案する、請求項１２に記載の移動端末機。
【請求項１５】
前記制御部は、
前記メイクアップ推奨命令を受信した場合、複数のメイクアップ種類を表示し、前記複数のメイクアップ種類のうち、選択されたメイクアップ種類に応じて前記メイクアップ推奨結果を相異なるように表示するように前記ディスプレイ部を制御する、請求項８に記載の移動端末機。
【請求項１６】
前記制御部は、
前記選択されたメイクアップの種類が超簡単メイクアップの場合、既に設定された個数未満の化粧品を使用するメイクアップ方法を前記メイクアップ推奨結果として表示する、請求項１５に記載の移動端末機。
【請求項１７】
前記制御部は、
前記選択されたメイクアップの種類が時間帯を特定するメイクアップの場合、特定された時間帯を考慮したメイクアップ方法を前記メイクアップ推奨結果として表示する、請求項１５に記載の移動端末機。
【請求項１８】
前記制御部は、
前記特定された時間帯と関連したユーザー情報または環境情報を考慮したメイクアップ方法を前記メイクアップ推奨結果として表示する、請求項１７に記載の移動端末機。
【請求項１９】
サーバー ； 及び
前記サーバーから情報を受信する移動端末機を含み、
前記移動端末機は、
ユーザー情報を保存するメモリ、
環境情報を受信する無線通信部、及び
前記ユーザー情報及び前記環境情報のうち少なくとも一つが反映されたメイクアップシミュレーションイメージを表示するディスプレイ部を含む化粧品自動認識システム。
【請求項２０】
前記移動端末機は、近距離通信モジュールをさらに含み、
前記ディスプレイ部は、
前記近距離通信モジュールを介して認識された少なくとも一つの化粧品に基づいてメイクアップ推奨結果を表示し、前記メイクアップ推奨結果によるメイクアップの適用結果を算出することによって、前記メイクアップシミュレーションイメージを表示する、請求項１９に記載の化粧品自動認識システム。
【国際調査報告】
2021519992.tif 000027
2021519992.tif 000028
2021519992.tif 000029
2021519992.tif 000030